【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
汚染されたガス流から複数の異なる汚染物質を除去するための垂直に配向されたスクラバー装置であって、
ａ）天井、床、前記天井を前記床に接続する円筒壁、複数の垂直に間隔を空けて配置されたヘッド、各ヘッドの上の容積、ガス入口、誘引ファン、及びガス出口を有する、スクラバー容器；
ｂ）前記スクラバー容器の下端に亘り水平に位置付けられた、沈水した下部ヘッドであって、全体に延在する複数の狭いスロットを有する水平プレートを備えている、沈水した下部ヘッド；
ｃ）前記沈水した下部ヘッドの下の前記スクラバー容器の下端部内に配置された第１のスクラブ流体リザーバであって、該第１のスクラブ流体が前記汚染されたガス流から第１の汚染物質群を除去するように選択された、リザーバ、並びに、前記沈水したスクラブヘッドの上の所望のレベルに至る第１の反応ゾーン容積；
ｄ）前記沈水したヘッドの上の第１の容積内へと延在する第１のスクラブ流体入口、前記第１のスクラブ流体反応ゾーン容積内に前記第１のスクラブ流体を噴霧するために前記第１のスクラブ流体入口と流体連通した第１の噴霧手段、及び、前記床における第１のスクラブ流体出口；
ｅ）前記第１のスクラブ流体入口の上の位置に前記スクラバー容器の断面全体に亘り水平に延在する第１の浸水ヘッドであって、全体に延在する複数の狭いスロットを有するプレートを備えている、第１の浸水ヘッド；
ｆ）前記第１の浸水ヘッドの上の所望のレベルに配置された第２のスクラブ流体反応ゾーン容積であって、該第２のスクラブ流体が前記汚染されたガス流から第２の汚染物質群を除去するように選択された、第２のスクラブ流体反応ゾーン容積；及び
ｇ）前記第１の浸水ヘッドの上の第２の容積内へと延在する第２のスクラブ流体入口、前記第２のスクラブ流体反応ゾーン容積内に前記第２のスクラブ流体を噴霧するために前記第２のスクラブ流体入口と流体連通した第２の噴霧手段、及び、前記スクラバー容器壁を通る前記第１の浸水ヘッドの上の第２のスクラブ流体出口
を備えた、装置。
【請求項２】
汚染されたガス流から複数の異なる汚染物質を除去するための垂直に配向されたスクラバー装置であって、
ａ）天井、床、前記天井を前記床に接続する円筒壁、複数の垂直に間隔を空けて配置されたヘッド、各ヘッドの上の容積、ガス入口、誘引ファン、及びガス出口を有する、スクラバー容器；
ｂ）所望のレベルで前記スクラバー容器の下端部内に配置された第１のスクラブ流体リザーバであって、該第１のスクラブ流体が前記汚染されたガス流から第１の汚染物質群を除去するように選択された、リザーバ；
ｃ）前記第１のスクラブ流体リザーバと第１の浸水ヘッドとの間の第１の容積を画成する、前記ガス入口の上の位置に前記スクラバー容器に亘り水平に延在する第１の浸水ヘッドであって、全体に延在する複数の狭いスロットを有するプレートを備えている、第１の浸水ヘッド；
ｄ）前記第１の浸水ヘッドの上の所望のレベルに配置された第１のスクラブ流体反応ゾーン容積であって、各々が前記第１のスクラブ流体リザーバから前記第１の浸水ヘッドを通って該第１の浸水ヘッドの上の所望のレベルまで延在する１つ以上のオーバーフロー管を介して前記リザーバと流体連通した、反応ゾーン容積；
ｆ）前記壁を通って前記第１の浸水ヘッドの上の第２の容積内へと延在する第１のスクラブ流体入口、前記第２のスクラブ流体反応ゾーン容積内に前記第１のスクラブ流体を噴霧するために前記第１のスクラブ流体入口と流体連通した第１の噴霧手段、及び、前記床における第１のスクラブ流体出口；
ｇ）前記第１のスクラブ流体反応ゾーン容積と第２の浸水ヘッドとの間に第２の容積を画成する、前記第１の浸水ヘッドの上の位置に前記スクラバー容器の断面全体に亘り水平に延在する第２の浸水ヘッドであって、全体に延在する複数の狭いスロットを有するプレートを備えている、第２の浸水ヘッド；
ｈ）所望のレベルで前記第２の浸水ヘッドの上に配置された第２のスクラブ流体反応ゾーン容積であって、該第２のスクラブ流体が前記汚染されたガス流から第２の汚染物質群を除去するように選択された、第２のスクラブ流体反応ゾーン容積；及び
ｉ）前記第２の浸水ヘッドの上の第３の容積内へと延在する第２のスクラブ流体入口、前記第２のスクラブ流体反応ゾーン容積内に前記第２のスクラブ流体を噴霧するために前記第２のスクラブ流体入口と流体連通した第２の噴霧手段、及び、前記スクラバー容器の前記壁を通る前記第２の浸水ヘッドの上の第２のスクラブ流体出口
を備えた、装置。
【請求項３】
ａ）前記スクラバー容器の断面全体に亘り水平に延在し、かつ、他のヘッドの上に垂直に連続的に積み重ねられた、１つ以上の追加の浸水ヘッドであって、各々がその下方のヘッドに関して追加の容積を画成する、ヘッド；
ｂ）各々が所望のレベルで対応する浸水ヘッドの上に配置された、１つ以上の追加のスクラブ流体反応ゾーン容積であって、各追加のスクラブ流体が前記汚染されたガス流から所望される追加の汚染物質群を除去するように選択された、容積；及び
ｃ）対応する追加の浸水ヘッドの上の対応する追加の容積内へと前記壁を通って延在する１つ以上の追加のスクラブ流体入口、対応する追加のスクラブ流体反応ゾーン容積内に前記追加のスクラブ流体を噴霧するために前記追加のスクラブ流体入口と流体連通した追加の対応する噴霧手段、及び、前記スクラバー容器の前記壁を通る前記対応する浸水ヘッドの上の１つ以上の対応する追加のスクラブ流体出口
をさらに含むことを特徴とする、請求項１に記載のスクラバー装置。
【請求項４】
ａ）前記スクラバー容器の断面全体に亘り水平に延在し、かつ、他のヘッドの上に垂直に連続的に積み重ねられた、１つ以上の追加の浸水ヘッドであって、各々がその下方のヘッドに関して追加の容積を画成する、ヘッド；
ｂ）各々が所望のレベルで対応する浸水ヘッドの上に配置された、１つ以上の追加のスクラブ流体反応ゾーン容積であって、各追加のスクラブ流体が前記汚染されたガス流から所望される追加の汚染物質群を除去するように選択された、容積；及び
ｃ）対応する追加の浸水ヘッドの上の対応する追加の容積内へと前記壁を通って延在する１つ以上の追加のスクラブ流体入口、対応する追加のスクラブ流体反応ゾーン容積内に前記追加のスクラブ流体を噴霧するために前記追加のスクラブ流体入口と流体連通した追加の対応する噴霧手段、及び、前記スクラバー容器の前記壁を通る前記対応する浸水ヘッドの上の１つ以上の対応する追加のスクラブ流体出口
をさらに含むことを特徴とする、請求項２に記載のスクラバー装置。
【請求項５】
前記ガス入口が前記容器の上端部に位置し、ガス入口ダクトが、前記最下部のヘッドの下の位置へと前記ガスを導くことを特徴とする、請求項２に記載のスクラバー装置。
【請求項６】
前記ガス入口が前記容器の側部に位置し、ガス入口ダクトが、前記最下部のヘッドの下の位置へと前記ガスを導くことを特徴とする、請求項２に記載のスクラバー装置。
【請求項７】
前記浸水ヘッドにおける前記スロットの大きさが、前記浸水ヘッドの下の加圧されたガスの存在下でスクラブ流体がその中を通り抜けることを防ぐように選択されることを特徴とする、請求項２に記載のスクラバー装置。
【請求項８】
汚染されたガス流から複数の汚染物質を除去する方法であって、
ａ）第１のスクラブ流体を、請求項１に記載の装置内に前記沈水したスクラバーヘッドの上の所望の流体レベルまで導入する工程；
ｂ）第２のスクラブ流体を、請求項１に記載の装置内に前記浸水スクラバーヘッドの上の所望のレベルまで導入する工程；
ｃ）従来技術のガスコンディショナーを使用して、汚染されたプロセスガスを冷却する工程；
ｄ）前記冷却された汚染ガスを、誘引ファンによる圧力下で、前記沈水したスクラバーヘッドの下の位置において請求項１に記載の装置内に導入する工程；
ｅ）前記ガスを前記沈水したスクラバーヘッドを通って上方向に通過させて、前記汚染されたガスから前記沈水したスクラバーヘッドの上の第１のスクラブ流体反応ゾーン容積内の前記第１のスクラブ流体内へと第１の汚染物質群を移動させる工程；
ｆ）前記ガスを、前記浸水ヘッドを通って上方向に通過し続けさせて、前記汚染されたガスから前記浸水ヘッドの上の第２のスクラブ流体反応ゾーン容積内の前記第２のスクラブ流体内へと第２の汚染物質群を移動させる工程；
ｇ）流出する前記ガスに噴霧して、さらなる汚染物質を除去し、かつ、前記ガスの流速を減速させる工程；
ｈ）流出する前記ガスを前記スクラブ装置から流出させる工程；
ｉ）前記スクラバー容器から第１及び第２のスクラブ流体を別々に除去して、各スクラブ流体の所望のレベルを維持する工程；及び
ｊ）前記スクラブ装置で再利用するために、排出されたスクラブ流体を浄化する工程
を含む、方法。
【請求項９】
請求項８に記載の方法に従って、汚染されたガス流から複数の汚染物質を除去するための請求項１に記載のスクラバー装置の使用。
【請求項１０】
工程（ｆ）の後に追加の工程（ｆｆ）：
ｆｆ）前記ガスを、１つ以上の連続的に垂直に積み重ねられた追加の浸水ヘッドを通って上方向に通過し続けさせて、前記汚染されたガスから対応する浸水ヘッドの各々の上の１つ以上の追加のスクラブ流体反応ゾーン容積の各々内の１つ以上の追加のスクラブ流体内へと１つ以上の追加の汚染物質群を移動させる工程
をさらに含むことを特徴とする、請求項９に記載の方法。
【請求項１１】
汚染されたガス流から複数の汚染物質を除去する方法であって、
ａ）第１のスクラブ流体を、請求項２に記載の装置内に前記第１の浸水ヘッドの上の所望の流体レベルまで導入する工程；
ｂ）第２のスクラブ流体を、請求項２に記載の装置内に前記第２の浸水ヘッドの上の所望の流体レベルまで導入する工程；
ｃ）従来技術のガスコンディショナーを使用して、汚染されたプロセスガスを冷却する工程；
ｄ）前記冷却された汚染ガスを、誘引ファンによる圧力下で、前記第１の浸水ヘッドの下の位置において請求項２に記載の装置内に導入する工程；
ｅ）前記ガスを前記第１の浸水ヘッドを通って上方向に通過させて、前記汚染されたガスから前記第１の浸水ヘッドの上の第１のスクラブ流体反応ゾーン容積内の前記第１のスクラブ流体内へと第１の汚染物質群を移動させる工程；
ｆ）前記ガスを前記第２の浸水ヘッドを通って上方向に通過し続けさせて、前記汚染されたガスから前記第２の浸水ヘッドの上の第２のスクラブ流体反応ゾーン容積内の前記第２のスクラブ流体内へと第２の汚染物質群を移動させる工程；
ｇ）流出する前記ガスに噴霧して、さらなる汚染物質を除去し、かつ、前記ガスの流速を減速させる工程；
ｈ）流出する前記ガスを前記スクラブ装置から流出させる工程；
ｉ）前記スクラバー容器から第１及び第２のスクラブ流体を別々に除去して、各スクラブ流体の所望のレベルを維持する工程；及び
ｊ）前記スクラブ装置で再利用するために、排出されたスクラブ流体を浄化する工程
を含む、方法。
【請求項１２】
請求項１１に記載の方法に従って、汚染されたガス流から複数の汚染物質を除去するための請求項２に記載のスクラバー装置の使用。
【請求項１３】
工程（ｆ）の後に追加の工程（ｆｆ）：
ｆｆ）前記ガスを、１つ以上の連続的に垂直に積み重ねられた追加の浸水ヘッドを通って上方向に通過し続けさせて、前記汚染されたガスから対応する浸水ヘッドの各々の上の１つ以上の追加のスクラブ流体反応ゾーン容積の各々内の１つ以上の追加のスクラブ流体内へと１つ以上の追加の汚染物質群を移動させる工程
をさらに含むことを特徴とする、請求項１１に記載の方法。
【請求項１４】
汚染されたガス流から、微粒子物質、金属、塩化水素、フッ化水素、亜酸化窒素、酸化窒素、二酸化炭素、及び二酸化硫黄を含む汚染物質群から選択される複数の汚染物質を除去するための請求項１に記載の装置の使用。
【請求項１５】
汚染されたガス流から、微粒子物質、金属、塩化水素、フッ化水素、亜酸化窒素、酸化窒素、二酸化炭素、及び二酸化硫黄を含む汚染物質群から選択される複数の汚染物質を除去するための請求項２に記載の装置の使用。
【請求項１６】
湿式ガススクラブ容器のための浸水スクラバーヘッドにおいて、
ａ）前記スクラブ容器の全横断面に亘り延在する水平プレートであって、前記ヘッドが、前記ヘッドの上のスクラブ流体反応ゾーン容積内へと、汚染されたガスがその中を上方向に通り抜けるためのポートの１つ以上の列を有し、前記ヘッドの全周が前記スクラブ容器の内周に隣接しており、かつ、前記ポートの大きさ、形状、及び角度が、前記スクラブ流体が、前記ヘッドの下の加圧されたガスの存在下で前記ポートを下方向に通過するのを防ぐように選択される、水平プレート；及び
ｂ）前記スクラブ流体反応ゾーン容積内へとポートの１つ以上の列の間に前記ヘッドに対して垂直に上方向に延びる、１つ以上の促進プレート；
を備えた、浸水スクラバーヘッド。